(57)【要約】【課題】画像形成装置などの電子機器の配置場所として、室内設備に適した配置場所を提案する。【解決手段】画像形成装置１は、室内設備の位置と不可範囲とが示された室内レイアウトを示す画像データを取得する取得部１０１と、前記画像データから室内レイアウトの外縁と室内設備の位置と不可範囲とをそれぞれ識別する識別部１０２と、室内レイアウトの外縁よりも内側で不可範囲を除いた範囲であって、画像形成装置１の前記室内レイアウト上の大きさよりも大きい範囲を、画像形成装置１の配置の可能範囲として特定する範囲特定部１０３と、室内設備の位置から可能範囲までの距離が最短である箇所を配置候補箇所として特定する候補箇所特定部１０４と、室内レイアウト上に配置候補箇所を示した提案画像を生成する生成部１０５と、生成部１０５が生成した提案画像を出力する制御部１００と、を備える。【選択図】図２
2020194289.tif 000002
【特許請求の範囲】
【請求項１】
室内設備の位置と電子機器の配置が不可能な不可範囲とが示された室内レイアウトを示す画像データを取得する取得部と、
前記取得部が取得した前記画像データから、前記室内レイアウトの外縁と、前記室内設備の位置と、前記不可範囲と、をそれぞれ識別する識別部と、
前記識別部が識別した前記室内レイアウトの前記外縁よりも内側で前記不可範囲を除いた範囲であって、予め取得した前記電子機器の前記室内レイアウト上の大きさよりも大きい範囲を、前記電子機器の配置が可能な可能範囲として特定する範囲特定部と、
前記室内設備の位置から前記可能範囲までの距離が最短である箇所を、前記電子機器の配置候補箇所として特定する候補箇所特定部と、
前記取得部が取得した前記画像データが示す前記室内レイアウト上に前記候補箇所特定部が特定した前記配置候補箇所を示した提案画像を生成する生成部と、
表示部と、
前記生成部が生成した前記提案画像を前記表示部に表示させる制御部と、を備える情報処理装置。
【請求項２】
画像データを記録媒体に画像形成する画像形成部を備える画像形成装置であって、
室内設備の位置と前記画像形成装置の配置が不可能な不可範囲とが示された室内レイアウトを示す画像データを取得する取得部と、
前記取得部が取得した前記画像データから、前記室内レイアウトの外縁と、前記室内設備の位置と、前記不可範囲と、をそれぞれ識別する識別部と、
前記識別部が識別した前記室内レイアウトの前記外縁よりも内側で前記不可範囲を除いた範囲であって、予め取得した前記画像形成装置の前記室内レイアウト上の大きさよりも大きい範囲を、前記画像形成装置の配置が可能な可能範囲として特定する範囲特定部と、
前記室内設備の位置から前記可能範囲までの距離が最短である箇所を、前記画像形成装置の配置候補箇所として特定する候補箇所特定部と、
前記取得部が取得した前記画像データが示す前記室内レイアウト上に前記候補箇所特定部が特定した前記配置候補箇所を示した提案画像を生成する生成部と、
前記生成部が生成した前記提案画像を出力する制御部と、を備える画像形成装置。
【請求項３】
前記室内レイアウトの外縁を示す第１マーカーと、前記不可範囲を示す第２マーカーと、前記室内設備の位置を示す第３マーカーとを含むマーカーデータを、予め記憶する第１記憶部を更に備え、
前記識別部は、前記取得部が取得した前記画像データが示す前記室内レイアウトから、前記第１記憶部に記憶された前記マーカーデータに含まれる前記第１マーカー、前記第２マーカー及び前記第３マーカーをそれぞれ識別し、
前記範囲特定部は、前記識別部が識別した前記第１マーカーよりも内側で前記第２マーカーの範囲を除いた範囲であって、予め取得した前記画像形成装置の前記室内レイアウト上の大きさよりも大きい範囲を、前記画像形成装置の配置が可能な可能範囲として特定し、
前記候補箇所特定部は、前記第３マーカーから前記可能範囲までの距離が最短である箇所を、前記画像形成装置の配置候補箇所として特定する請求項２に記載の画像形成装置。
【請求項４】
前記マーカーデータには、電源設備の位置を示す電源設備用マーカーと、ネットワーク設備の位置を示すネットワーク設備用マーカーとが含まれ、
前記識別部は、前記取得部が取得した前記画像データが示す前記室内レイアウトから、前記第１記憶部に記憶された前記マーカーデータに含まれる前記第１マーカー、前記第２マーカー、前記電源設備用マーカー及び前記ネットワーク設備用マーカーをそれぞれ識別し、
前記候補箇所特定部は、前記電源設備用マーカーから前記可能範囲までの第１距離と前記ネットワーク設備用マーカーから前記可能範囲までの第２距離との合算距離が最短である箇所を、前記画像形成装置の配置候補箇所として特定する請求項３に記載の画像形成装置。
【請求項５】
前記室内レイアウト原稿から画像を読み取る原稿読取部を、更に備え、
前記取得部は、前記原稿読取部が読み取った前記画像を、前記画像データとして取得する請求項３又は請求項４に記載の画像形成装置。
【請求項６】
前記原稿読取部は、前記マーカーデータが示された設定用紙から設定用紙画像を読み取り、
前記画像形成装置は、前記原稿読取部が読み取った前記設定用紙画像を画像解析して前記マーカーデータを取得する画像解析部を更に備え、
前記第１記憶部は、前記画像解析部が取得した前記マーカーデータを記憶する請求項５に記載の画像形成装置。
【請求項７】
個別提案又は一括提案の指示を受け付ける指示受付部を、更に備え、
前記候補箇所特定部は、前記室内設備の位置から前記可能範囲までの距離が最短である箇所を、前記画像形成装置の第１配置候補箇所として特定し、前記第１配置候補箇所の次に前記距離が小さい箇所を第２配置候補箇所として特定し、
前記生成部は、前記指示受付部が前記個別提案の指示を受け付けている場合、前記提案画像として、前記取得部が取得した前記画像データが示す前記室内レイアウト上に前記候補箇所特定部が特定した前記第１配置候補箇所及び前記第２配置候補箇所を個別に示した個別提案画像を生成し、前記指示受付部が前記一括提案の指示を受け付けている場合、前記提案画像として、前記取得部が取得した前記画像データが示す前記室内レイアウト上に前記候補箇所特定部が特定した前記第１配置候補箇所及び前記第２配置候補箇所を纏めて示した一括提案画像を生成し、
前記制御部は、
（i）前記生成部が前記個別提案画像を生成した場合には、前記第１配置候補箇所を示した前記個別提案画像を出力し、その後に前記第２配置候補箇所を示した前記個別提案画像を出力し、
（ii）前記生成部が前記一括提案画像を生成した場合には、前記第１配置候補箇所が前記第２配置候補箇所よりも適することを示した前記一括提案画像を出力する請求項２乃至請求項６の何れか一つに記載の画像形成装置。
【請求項８】
前記室内レイアウトに対応する実際の室内において前記第１配置候補箇所に対応する箇所に配置された前記画像形成装置を使用したユーザーが当該画像形成装置から離れる動きを撮影した撮影データを、予め定められた期間において当該画像形成装置を使用する毎に収集する撮影データ収集部と、
前記撮影データ収集部が前記予め定められた期間において収集した複数の前記撮影データを分析することでユーザーの戻り方向を特定し、当該特定したユーザーの戻り方向を集計し、当該集計した結果のうちで最多数の戻り方向を優先方向として特定する優先方向特定部と、を更に備え、
前記制御部は、
（i）前記生成部が前記個別提案画像を生成した場合には、（ia）前記優先方向特定部が特定した前記優先方向が前記第１配置候補箇所の方向であれば、前記第１配置候補箇所を示した前記個別提案画像を出力し、その後に前記第２配置候補箇所を示した前記個別提案画像を出力し、（ib）前記優先方向特定部が特定した前記優先方向が前記第２配置候補箇所の方向であれば、前記第２配置候補箇所を示した前記個別提案画像を出力し、その後に前記第１配置候補箇所を示した前記個別提案画像を出力し、
（ii）前記生成部が前記一括提案画像を生成した場合には、（iia）前記優先方向特定部が特定した前記優先方向が前記第１配置候補箇所の方向であれば、前記第１配置候補箇所が前記第２配置候補箇所よりも適することを示した前記一括提案画像を出力し、（iib）前記優先方向特定部が特定した前記優先方向が前記第２配置候補箇所の方向であれば、前記第２配置候補箇所が前記第１配置候補箇所よりも適することを示した前記一括提案画像を出力する請求項７に記載の画像形成装置。
【請求項９】
前記撮影データ収集部は、前記画像形成装置を使用したユーザーが当該画像形成装置から予め定められた設定距離まで離れる動きを撮影した撮影データを、予め定められた期間において当該画像形成装置を使用する毎に収集する請求項８に記載の画像形成装置。
【請求項１０】
室内に座席が設定されているユーザーの顔の画像を予め記憶する第２記憶部と、
前記画像形成装置を使用するユーザーの顔の画像と、前記第２記憶部に記憶されたユーザーの顔の画像とが一致する場合に、当該ユーザーを室内ユーザーとして認証する顔認証処理部と、を更に備え、
前記撮影データ収集部は、前記顔認証処理部が認証した室内ユーザーが前記画像形成装置から離れる動きを撮影した撮影データを、予め定められた期間において当該画像形成装置を使用する毎に収集する請求項８又は請求項９に記載の画像形成装置。
【請求項１１】
表示部を更に備え、
前記制御部は、前記生成部が生成した前記提案画像を前記表示部に表示させる請求項２乃至請求項１０の何れか一つに記載の画像形成装置。
【請求項１２】
前記制御部は、前記生成部が生成した前記提案画像を、前記画像形成部により、記録媒体に画像形成させる請求項２乃至請求項１０の何れか一つに記載の画像形成装置。
【発明の詳細な説明】
【技術分野】
【０００１】
本発明は、情報処理装置および画像形成装置に関し、特に、画像形成装置などの電子機器の配置場所をユーザーに提案する技術に関する。
【背景技術】
【０００２】
大型のオフィスでは、複数台の画像形成装置が配置されている。画像形成装置には、下位機（ローエンドモデル）と上位機（ハイエンドモデル）とがある。下位機は、プリント機能などの基本機能のみを備えるだけであり、安価である。一方、上位機は、基本機能に加えて後処理機能（フィニッシング機能）などの付加機能を備えているので、下位機に比べて非常に高価である。そして、オフィス内の画像形成装置を全て上位機とすると非常にコストがかかることから、上位機を１台に止め、それ以外を下位機としている。
【０００３】
例えば、上位機を使用する頻度の高いユーザーにとってみれば、上位機が遠い場所に配置されていると、オフィスワークの効率が低下することになる。そこで、下記の特許文献１には、付加機能を有する画像形成装置（つまり、上位機）を、上位機を使用する頻度の高いユーザーにとって適した場所に配置することを提案する技術が記載されている（特許文献１を参照）。
【先行技術文献】
【特許文献】
【０００４】
【特許文献１】特開２０１２−０５８７６５号公報
【発明の概要】
【発明が解決しようとする課題】
【０００５】
しかしながら、特許文献１に記載の技術では、上位機を使用する頻度の高いユーザーにとって適した場所に当該上位機を配置することを提案するだけであり、上位機の配置場所として、オフィス内の設備（例えば、電源箇所及びハブ(HUB)の箇所）に不適な場所が提案されるおそれがある。また、上位機に限らず、下位機についても、オフィス内の設備に適した配置場所を提案することができない。具体的には、特許文献１に記載の技術では、オフィス内の設備に適した配置場所を判断できないため、設備に適した配置場所をユーザーに提案することができない。
【０００６】
本発明は、上記の事情に鑑みなされたものであり、画像形成装置などの電子機器の配置場所として、室内設備に適した配置場所を提案することを可能にすることを目的とする。
【課題を解決するための手段】
【０００７】
本発明の一局面に係る情報処理装置は、室内設備の位置と電子機器の配置が不可能な不可範囲とが示された室内レイアウトを示す画像データを取得する取得部と、前記取得部が取得した前記画像データから、前記室内レイアウトの外縁と、前記室内設備の位置と、前記不可範囲と、をそれぞれ識別する識別部と、前記識別部が識別した前記室内レイアウトの前記外縁よりも内側で前記不可範囲を除いた範囲であって、予め取得した前記電子機器の前記室内レイアウト上の大きさよりも大きい範囲を、前記電子機器の配置が可能な可能範囲として特定する範囲特定部と、前記室内設備の位置から前記可能範囲までの距離が最短である箇所を、前記電子機器の配置候補箇所として特定する候補箇所特定部と、前記取得部が取得した前記画像データが示す前記室内レイアウト上に前記候補箇所特定部が特定した前記配置候補箇所を示した提案画像を生成する生成部と、表示部と、前記生成部が生成した前記提案画像を前記表示部に表示させる制御部と、を備えるものである。
【０００８】
本発明の他の一局面に係る画像形成装置は、画像データを記録媒体に画像形成する画像形成部を備える画像形成装置であって、室内設備の位置と前記画像形成装置の配置が不可能な不可範囲とが示された室内レイアウトを示す画像データを取得する取得部と、前記取得部が取得した前記画像データから、前記室内レイアウトの外縁と、前記室内設備の位置と、前記不可範囲と、をそれぞれ識別する識別部と、前記識別部が識別した前記室内レイアウトの前記外縁よりも内側で前記不可範囲を除いた範囲であって、予め取得した前記画像形成装置の前記室内レイアウト上の大きさよりも大きい範囲を、前記画像形成装置の配置が可能な可能範囲として特定する範囲特定部と、前記室内設備の位置から前記可能範囲までの距離が最短である箇所を、前記画像形成装置の配置候補箇所として特定する候補箇所特定部と、前記取得部が取得した前記画像データが示す前記室内レイアウト上に前記候補箇所特定部が特定した前記配置候補箇所を示した提案画像を生成する生成部と、前記生成部が生成した前記提案画像を出力する制御部と、を備えるものである。
【発明の効果】
【０００９】
本発明によれば、画像形成装置などの電子機器の配置場所として、室内設備に適した配置場所を提案することができる。
【図面の簡単な説明】
【００１０】
【図１】本発明の第１実施形態に係る画像形成装置の構造を示す模式的な部分断面正面図である。
【図２】第１実施形態に係る画像形成装置の主要内部構成を概略的に示す機能ブロック図である。
【図３】画像形成装置による配置場所提案処理の一例を示すフローチャートである。
【図４】（Ａ）〜（Ｃ）のそれぞれは、操作部の表示部に表示される操作画面の一例を示す図である。
【図５】設定用紙の一例を示す図である。
【図６】（Ａ）は室内レイアウト原稿の一例を示す図、（Ｂ）は室内レイアウト原稿に第１マーカーが記入された例を示す図である。
【図７】（Ａ）は室内レイアウト原稿に更に第２マーカーが記入された例を示す図、（Ｂ）は室内レイアウト原稿に更に第３マーカーが記入された例を示す図である。
【図８】（Ａ）は画像形成装置による配置候補箇所決定処理の一例を示すフローチャート、（Ｂ）は画像形成装置による提案画像生成処理の一例を示すフローチャートである。
【図９】（Ａ）は室内レイアウトの画像上にて配置可能範囲を特定する例を示す図、（Ｂ）は室内レイアウトの画像上にて配置候補箇所を特定する例を示す図である。
【図１０】提案画像の一例を示す図である。
【図１１】画像形成装置による提案画像出力処理の一例を示すフローチャートである。
【図１２】第２実施形態に係る画像形成装置の主要内部構成を概略的に示す機能ブロック図である。
【図１３】画像形成装置による撮影データ収集処理の一例を示すフローチャートである。
【図１４】第２実施形態に係る画像形成装置による配置候補箇所決定処理の一例を示すフローチャートである。
【図１５】画像形成装置の使用後におけるユーザーの戻り方向を示す図である。
【図１６】変形例に係る情報処理装置の主要内部構成を概略的に示す機能ブロック図である。
【発明を実施するための形態】
【００１１】
以下、本発明の一実施形態に係る画像形成装置について図面を参照して説明する。図１は、本発明の第１実施形態に係る画像形成装置の構造を示した模式的な部分断面正面図である。画像形成装置１は、例えば、コピー機能、プリンター機能、スキャナー機能、及びファクシミリ機能のような複数の機能を兼ね備えた複合機であり、装置本体１１に、操作部４７、原稿給送部６、及び原稿読取部５を含んで構成されている。
【００１２】
操作部４７は、画像形成装置１が実行可能な各種動作及び処理について操作者から画像形成動作実行指示や原稿読取動作実行指示等の指示を受け付けるものであり、操作者への操作案内等を表示する表示部４７３を備えている。
【００１３】
画像形成装置１で原稿読取動作が行われる場合について説明する。原稿給送部６により給送されてくる原稿、又は原稿載置ガラス１６１に載置された原稿の画像を、読取機構１６３を備えた原稿読取部５が光学的に読み取り、そして原稿読取部５が画像形成対象データを生成する。原稿読取部５により生成された画像形成対象データは、ＨＤＤ（Hard Disk Drive）９２（図２参照）、又はネットワーク接続されたコンピューター等の外部装置２０に保存される。
【００１４】
画像形成装置１で画像形成動作が行われる場合について説明する。原稿読取動作により生成された画像形成対象データや、ＨＤＤ９２に記憶されている画像形成対象データ、ネットワーク接続されたコンピューターから受信した画像形成対象データ等に基づいて、画像形成部１２が、給紙部１４から給紙される記録紙（記録媒体）としての用紙Ｐにトナー像を形成する。
【００１５】
画像形成部１２は、ブラック（Ｂｋ）用の画像形成ユニット１２Ｂｋ、イエロー（Ｙ）用の画像形成ユニット１２Ｙ、シアン（Ｃ）用の画像形成ユニット１２Ｃ、及びマゼンタ（Ｍ）用の画像形成ユニット１２Ｍを含んで構成され、これら画像形成ユニット１２Ｂｋ，１２Ｙ，１２Ｃ，１２Ｍはそれぞれドラム型の感光体１２１Ｂｋ，１２１Ｙ，１２１Ｃ，１２１Ｍを備え、感光体１２１Ｂｋ，１２１Ｙ，１２１Ｃ，１２１Ｍは、図中の反時計回りに回転駆動するようになっている。
【００１６】
トナーコンテナ１７Ｂｋ，１７Ｙ，１７Ｃ，１７Ｍはそれぞれブラック用、イエロー用、シアン用、マゼンタ用のトナーを収納するものであり、感光体１２１Ｂｋ，１２１Ｙ，１２１Ｃ，１２１Ｍから離れた位置に、中間転写ベルト１２５を挟んで上方に、装置本体１１に設けられたトナーコンテナ装着部（図示せず）に着脱自在に装着されている。
【００１７】
転写ユニット１２０は、その外周面にトナー像が転写される中間転写ベルト１２５、駆動ローラー１２５ａ、従動ローラー１２５ｂ、及び一次転写ローラー１２６を含んで構成されている。
【００１８】
中間転写ベルト１２５は、駆動ローラー１２５ａと従動ローラー１２５ｂとの間に張架され、感光体１２１Ｂｋ，１２１Ｙ，１２１Ｃ，１２１Ｍの周面に当接した状態で駆動ローラー１２５ａによって駆動され、感光体１２１Ｂｋ，１２１Ｙ，１２１Ｃ，１２１Ｍと同期しながら、無端走行する。
【００１９】
次に、カラー印刷が行われる場合について説明する。感光体１２１Ｂｋ，１２１Ｙ，１２１Ｃ，１２１Ｍの周囲が一様に帯電され（帯電工程）、電荷を帯びた感光体１２１Ｂｋ，１２１Ｙ，１２１Ｃ，１２１Ｍの表面に、画像形成対象データに基づいて、レーザー光が照射されて潜像が形成され（露光工程）、潜像がトナーで可視像化され（現像工程）、可視像化することによって形成されたトナー像が一次転写ローラー１２６によって中間転写ベルト１２５上に転写されるようになっている。
【００２０】
中間転写ベルト１２５上に転写される各色（ブラック、イエロー、シアン、マゼンタ）のトナー像は、転写タイミングを調整して中間転写ベルト１２５上で重ね合わされ、カラーのトナー像となる。
【００２１】
二次転写ローラー２１０は、中間転写ベルト１２５の表面に形成されたカラーのトナー像を、中間転写ベルト１２５を挟んだ、駆動ローラー１２５ａとのニップ部Ｎにおいて、給紙部１４から搬送路１９０を搬送されてきた用紙Ｐに転写させるものである。なお、ここまで説明したのはカラー印刷の場合であり、モノクロ印刷の場合には、イエロー用、シアン用、及びマゼンタ用の感光体１２１Ｙ，１２１Ｃ，１２１Ｍは使用されず、ブラック用の感光体１２１Ｂｋだけが使用されることになる。
【００２２】
定着部１３は、熱圧着によりトナー像を用紙Ｐに定着させるものであり、定着処理が施されたカラー画像形成済みの用紙Ｐは、排出トレイ１５１に排出されることになる。
【００２３】
給紙部１４は、複数の給紙カセット、及び各給紙カセットに収容された記録紙をピックアップするためのピックアップローラー１４５を含んで構成され、操作者による指示等で指定されたサイズの記録紙をピックアップするように、対応するピックアップローラー１４５を回転駆動させて、指定された記録紙をニップ部Ｎに向けて搬送するものである。
【００２４】
図２は、画像形成装置１の主要内部構成を概略的に示した機能ブロック図である。画像形成装置１は、制御ユニット１０、原稿給送部６、原稿読取部５、画像形成部１２、画像メモリー３２、ＨＤＤ９２、定着部１３、給紙部１４、原稿センサー１５、操作部４７、ファクシミリ通信部７１、及びネットワークインターフェイス部９１を含んで構成されている。なお、図１に示した画像形成装置１と同様の構成部分については同符号を付し、ここではその詳しい説明を省略する。
【００２５】
原稿給送部６は、読取対象の原稿を原稿読取部５へ給送する。
【００２６】
原稿読取部５は、制御ユニット１０を構成する制御部１００による制御の下、光照射部及びＣＣＤ（Charge Coupled Device）センサー等を有する読取機構（図示せず）を備えており、原稿読取部５は、光照射部を使って原稿を照射し、その反射光をＣＣＤセンサーで受光することによって、原稿から画像を読み取る。すなわち、原稿読取部５は、原稿から画像を読み取ることで画像形成対象データを得る。
【００２７】
画像形成部１２は、印刷すべき画像のトナー像を用紙上に形成する。
【００２８】
画像メモリー３２は、原稿読取部５による原稿読み取りで得られた画像形成対象データを一時的に記憶したり、画像形成部１２のプリント対象となるデータを一時的に保存したりするための領域である。
【００２９】
ＨＤＤ９２は、原稿読取部５による原稿読み取りで得られた画像形成対象データ等を記憶する大容量の記憶装置である。また、ＨＤＤ９２は、後述するマーカーデータを予め記憶する第１記憶部９２ａを備えている。
【００３０】
定着部１３は、用紙上のトナー像を、熱圧着により用紙に定着させる。
【００３１】
原稿センサー１５は、原稿給送部６の原稿挿入口近くに設置され、原稿給送部６の原稿トレイにセットされている原稿の有無を検知する。
【００３２】
操作部４７の表示部４７３はタッチパネル機能を備え、操作者は画面表示されるボタンやキーに触れて、タッチパネル機能により画像形成装置１を操作することができる。
【００３３】
ファクシミリ通信部７１は、図示しない符号化・複合化部、変復調部、及びＮＣＵ（Network Control Unit）等を備え、公衆電話回線網を用いてのファクシミリの通信を行うものである。例えば、ファクシミリ通信部７１は、ファクシミリの通信により受信した画像形成対象データを受け付ける。
【００３４】
ネットワークインターフェイス部９１は、ＬＡＮ（Local Area Network）ボード等の通信モジュールを含んで構成され、ネットワークインターフェイス部９１に接続されたＬＡＮ等を介して、ローカルエリア内、又はインターネット上のパーソナルコンピューター（パソコン）等の外部装置２０と種々のデータの送受信を行うものである。例えば、ネットワークインターフェイス部９１は、外部装置２０から受信したプリントジョブに含まれる画像形成対象データを受け付ける。
【００３５】
制御ユニット１０は、プロセッサー、ＲＡＭ(Random Access Memory）、及びＲＯＭ（Read Only Memory）などから構成される。プロセッサーは、例えば、ＣＰＵ（Central Processing Unit）、ＭＰＵ、ＡＳＩＣである。この制御ユニット１０は、ＨＤＤ９２に記憶された制御プログラムが上記のプロセッサーで実行されることにより、制御部１００と、取得部１０１と、識別部１０２と、範囲特定部１０３と、候補箇所特定部１０４と、生成部１０５と、画像解析部１０６と、指示受付部１０７として機能する。なお、制御ユニット１０の上記各構成は、上記制御プログラムに基づく動作によらず、それぞれハード回路により構成されてもよい。
【００３６】
制御部１００は、画像形成装置１の全体的な動作制御を司る。制御部１００は、原稿給送部６、原稿読取部５、画像形成部１２、画像メモリー３２、ＨＤＤ９２、定着部１３、給紙部１４、原稿センサー１５、操作部４７、ファクシミリ通信部７１、及びネットワークインターフェイス部９１と接続され、これら各部の駆動制御を行う。画像形成装置１は、上記のコピー機能、プリンター機能、スキャナー機能、及びファクシミリ機能のような複数の機能を実行が可能とされているが、制御部１００は、当該複数の機能についての各動作を制御する。
【００３７】
取得部１０１は、室内設備の位置と画像形成装置１の配置が不可能な不可範囲とが示された室内レイアウトを示す画像データを取得する。具体的には、原稿読取部５は、原稿給送部６により給送されてくる室内レイアウト原稿Ｐ２、又は原稿載置ガラス１６１に載置された室内レイアウト原稿Ｐ２の画像を読み取る。すなわち、原稿読取部５は、室内レイアウト原稿Ｐ２から画像を読み取る。そして、取得部１０１は、原稿読取部５が読み取った前記画像を、画像データとして取得する。
【００３８】
室内レイアウト原稿Ｐ２には、後述する図７（Ｂ）に示すように、当該室内レイアウトの外縁（例えば、部屋の壁）を示す第１マーカーＭ１と、画像形成装置１の配置が不可能な不可範囲を示す第２マーカーＭ２と、室内設備の位置を示す第３マーカーＭ３と、が異なる態様で示されている。更に、第３マーカーＭ３には、電源設備用マーカーＭ３１と、ネットワーク設備用マーカーＭ３２とが含まれる。例えば、ユーザーは、室内レイアウト原稿Ｐ２に、第１マーカーＭ１と、第２マーカーＭ２と、第３マーカーＭ３としての電源設備用マーカーＭ３１及びネットワーク設備用マーカーＭ３２とを互いに異なる色で記入している。例えば、第１マーカーＭ１は黄色、第２マーカーＭ２は赤色、電源設備用マーカーＭ３１は青色、ネットワーク設備用マーカーＭ３２は緑色としている。
【００３９】
第１記憶部９２ａは、室内レイアウトの外縁を示す第１マーカーＭ１と、前記不可範囲を示す第２マーカーＭ２と、室内設備の位置を示す第３マーカーＭ３とを含むマーカーデータを、予め記憶する。また、第３マーカーＭ３には、電源設備の位置を示す電源設備用マーカーＭ３１と、ネットワーク設備の位置を示すネットワーク設備用マーカーＭ３２とが含まれている。
【００４０】
識別部１０２は、取得部１０１が取得した画像データから、室内レイアウトの外縁と、室内設備の位置と、不可範囲と、をそれぞれ識別する。具体的には、識別部１０２は、取得部１０１が取得した画像データが示す室内レイアウトから、第１記憶部９２ａに記憶されたマーカーデータに含まれる第１マーカーＭ１、第２マーカーＭ２、電源設備用マーカーＭ３１及びネットワーク設備用マーカーＭ３２をそれぞれ識別する。
【００４１】
より具体的には、識別部１０２は、画像読取部５が取得した室内レイアウト原稿Ｐ２の画像を示す画像データから当該画像の色相データを生成する。ここで、画像の色相データは、当該画像の各画素の色相を示すものである。続いて、識別部１０２は、当該生成した画像の色相データに基づき、第１記憶部９２ａに記憶された各マーカー（第１マーカーＭ１、第２マーカーＭ２、電源設備用マーカーＭ３１及びネットワーク設備用マーカーＭ３２）の色相と一致する色相を検出し、各マーカーの色相を当該画像の各画素の色相から抽出することにより、各マーカーをそれぞれ識別する。
【００４２】
第１記憶部９２ａには、以下の手順により、マーカーデータが記憶されている。まず、原稿読取部５は、マーカーデータが示された設定用紙Ｐ１（後述する図５参照）から設定用紙画像を読み取る。
【００４３】
画像解析部１０６は、原稿読取部５が読み取った前記設定用紙画像を画像解析してマーカーデータを取得する。
【００４４】
具体的には、画像解析部１０６は、設定用紙画像データのうちで後述する図５に示す設定用紙Ｐ１の各マーカー記入欄Ｋ２１〜Ｋ２４に対応する各検出欄内の各画素の色相を検出し、検出欄内の地色とは異なる画素の色相をマーカーの色相として抽出する。このため、図５に示す設定用紙Ｐ１の場合には、画像解析部１０６は、第１マーカー記入欄Ｋ２１に記入された黄色、第２マーカー記入欄Ｋ２２に記入された赤色、電源設備用マーカー記入欄Ｋ２３に記入された青色、ネットワーク設備用マーカー記入欄Ｋ２４に記入された緑色をそれぞれ抽出する。これにより、画像解析部１０６は、黄色の第１マーカーＭ１が室内レイアウトの外縁を示すこと、赤色の第２マーカーＭ２が前記不可範囲を示すこと、青色の電源設備用マーカーＭ３１が電源設備の位置を示すこと、緑色のネットワーク設備用マーカーＭ３２がネットワーク設備の位置を示すマーカーデータを取得する。なお、画像解析部１０６は、既知のＯＣＲ（Optical Character Recognition）技術を利用して、前記設定用紙画像を示す設定用紙画像データを解析して、設定用紙Ｐ１の各マーカー記入欄Ｋ２１〜Ｋ２４の左横に記載されたテキスト（例えば、壁、配置不可範囲、電源、ハブのテキスト）を抽出し、当該抽出したテキストと上記マーカー色とを対応付けたマーカーデータを取得してもよい。
【００４５】
第１記憶部９２ａは、制御部１００による制御の下、画像解析部１０６が取得したマーカーデータを記憶する。
【００４６】
範囲特定部１０３は、識別部１０２が識別した室内レイアウトの外縁よりも内側で不可範囲を除いた範囲であって、予め取得した画像形成装置１の前記室内レイアウト上の大きさよりも大きい範囲を、画像形成装置１の配置が可能な可能範囲として特定する。例えば、範囲特定部１０３は、識別部１０２が識別した第１マーカーＭ１よりも内側で第２マーカーＭ２の範囲を除いた範囲であって、予め取得した画像形成装置１の前記室内レイアウト上の大きさよりも大きい範囲を、画像形成装置１の配置が可能な可能範囲として特定する。
【００４７】
なお、範囲特定部１０３は、画像解析部１０６の画像解析により、画像形成装置１の前記室内レイアウト上の大きさを予め取得している。画像解析部１０６は、既知のＯＣＲ技術を利用して、前記設定用紙画像を示す設定用紙画像データを解析して、設定用紙Ｐ１におけるテキストを抽出する。具体的には、画像解析部１０６は、既知のＯＣＲ技術を利用して、前記設定用紙画像データのうちで、図５に示す設定用紙Ｐ１のＭＦＰのサイズ設定欄Ｋ３１に対応するサイズ検出欄におけるテキストを抽出することにより、室内レイアウト原稿Ｐ２における画像形成装置１の横幅長さ及び奥行長さを示すテキストを取得する。図５では、画像形成装置１の横幅長さが「Ｘｍｍ」であり、奥行長さが「Ｙｍｍ」であることが特定される。
【００４８】
候補箇所特定部１０４は、室内設備の位置から可能範囲までの距離が最短である箇所を、画像形成装置１の配置候補箇所として特定する。例えば、候補箇所特定部１０４は、第３マーカーＭ３から可能範囲までの距離が最短である箇所を、画像形成装置１の配置候補箇所として特定する。より具体的には、候補箇所特定部１０４は、電源設備用マーカーＭ３１から可能範囲までの第１距離とネットワーク設備用マーカーＭ３２から可能範囲までの第２距離との合算距離が最短である箇所を、画像形成装置１の配置候補箇所として特定する。
【００４９】
生成部１０５は、取得部１０１が取得した画像データが示す室内レイアウト上に候補箇所特定部１０４が特定した配置候補箇所を示した提案画像を生成する。制御部１００は、生成部１０５が生成した提案画像を出力する。
【００５０】
より具体的には、指示受付部１０７は、個別提案又は一括提案の指示を受け付ける。例えば、指示受付部１０７は、ユーザーが操作部４７の表示部４７３に表示された設定画面に従って個別提案又は一括提案の指示することにより、指示された個別提案又は一括提案を受け付ける。また、ＨＤＤ９２には、個別提案又は一括提案が予め設定されており、指示受付部１０７がＨＤＤ９２に設定された個別提案又は一括提案を受け付けるようにしてもよい。
【００５１】
候補箇所特定部１０４は、室内設備の位置から前記可能範囲までの距離が最短である箇所を、画像形成装置１の第１配置候補箇所として特定し、この第１配置候補箇所の次に前記距離が小さい箇所を第２配置候補箇所として特定する。
【００５２】
生成部１０５は、指示受付部１０７が個別提案の指示を受け付けている場合、提案画像として、取得部１０１が取得した画像データが示す室内レイアウト上に候補箇所特定部１０４が特定した第１配置候補箇所及び第２配置候補箇所を個別に示した個別提案画像を生成する。
【００５３】
一方、生成部１０５は、指示受付部１０７が一括提案の指示を受け付けている場合、提案画像として、取得部１０１が取得した画像データが示す室内レイアウト上に候補箇所特定部１０４が特定した第１配置候補箇所及び第２配置候補箇所を纏めて示した一括提案画像を生成する。
【００５４】
制御部１００は、（i）生成部１０５が個別提案画像を生成した場合には、第１配置候補箇所を示した個別提案画像を出力し、その後に第２配置候補箇所を示した個別提案画像を出力する。具体的には、制御部１００は、表示指示を受けている場合には、第１配置候補箇所を示した個別提案画像を表示部４７３に表示させ、その後に第２配置候補箇所を示した個別提案画像を表示部４７３に表示させる。一方、制御部１００は、印刷指示を受けている場合には、第１配置候補箇所を示した個別提案画像を、画像形成部１２及び定着部１３により、用紙Ｐに画像形成させ、その後に第２配置候補箇所を示した個別提案画像を、画像形成部１２及び定着部１３により、用紙Ｐに画像形成させる。
【００５５】
一方、制御部１００は、（ii）生成部１０５が一括提案画像を生成した場合には、第１配置候補箇所が第２配置候補箇所よりも適することを示した一括提案画像を出力する。具体的には、制御部１００は、表示指示を受けている場合には、一括提案画像を表示部４７３に表示させる。一方、制御部１００は、印刷指示を受けている場合には、一括提案画像を、画像形成部１２及び定着部１３により、用紙Ｐに画像形成させる。
【００５６】
次に、画像形成装置１による配置場所提案処理について説明する。図３は、画像形成装置による配置場所提案処理の一例を示すフローチャートである。図４（Ａ）〜（Ｃ）のそれぞれは、操作部の表示部に表示される操作画面の一例を示す図である。図５は、設定用紙の一例を示す図である。
【００５７】
制御部１００は、表示部４７３に図４（Ａ）に示す操作画面が表示された状態において、レイアウト支援のボタンＫ１１の押下の有無を判定する（Ｓ１）。制御部１００は、ユーザーが表示部４７３のボタンＫ１１を押下すると（Ｓ１でＹＥＳ）、設定用紙Ｐ１を出力する（Ｓ２）。すなわち、制御部１００は、画像形成部１２及び定着部１３により、図５に示す設定用紙Ｐ１を印刷させる。
【００５８】
ユーザーは、設定用紙Ｐ１の各マーカー記入欄Ｋ２１〜Ｋ２４に、黄色、赤色、青色、緑色のマーカー線をそれぞれ記入する。また、ユーザーは、設定用紙Ｐ１のＭＦＰのサイズ設定欄Ｋ３１に、矩形図形を記載し、室内レイアウト原稿Ｐ２における画像形成装置１の横幅長さとして「Ｘｍｍ」を記入し、奥行長さとして「Ｙｍｍ」を記入する。なお、ＨＤＤ９２は、室内レイアウト原稿Ｐ２における画像形成装置１の横幅長さ及び奥行長さを予め記憶しているとしてもよい。この場合には、設定用紙Ｐ１のＭＦＰのサイズ設定欄Ｋ３１は不要である。
【００５９】
ここで、室内レイアウト原稿Ｐ２へのユーザーによるマーカー記入について説明する。図６（Ａ）は、室内レイアウト原稿の一例を示す図である。図６（Ｂ）は、室内レイアウト原稿に第１マーカーが記入された例を示す図である。図７（Ａ）は、室内レイアウト原稿に更に第２マーカーＭ２が記入された例を示す図である。図７（Ｂ）は、室内レイアウト原稿に更に第３マーカーが記入された例を示す図である。
【００６０】
ユーザーは、図６（Ａ）に示す室内レイアウト原稿Ｐ２を持っている。そして、ユーザーは、設定用紙Ｐ１の第１マーカー記入欄Ｋ２１に黄色のマーカー線を引いたマーカーペンを用いて、図６（Ｂ）に示す室内レイアウトの外縁（例えば、部屋の壁）に沿って黄色のマーカー（つまり、第１マーカーＭ１）を記入する。なお図６（Ｂ）では、第１マーカーＭ１を破線で示す。次に、ユーザーは、設定用紙Ｐ１の第２マーカー記入欄Ｋ２２に赤色のマーカー線を引いたマーカーペンを用いて、図７（Ａ）に示す室内レイアウトの配置不可範囲（例えば、ユーザーの机及び椅子を含む範囲）に沿って赤色のマーカー（つまり、第２マーカーＭ２）を記入する。なお図７（Ａ）では、第２マーカーＭ２を二点鎖線で示す。
【００６１】
次に、ユーザーは、設定用紙Ｐ１の電源設備用マーカー記入欄Ｋ２３に青色のマーカー線を引いたマーカーペンを用いて、図７（Ｂ）に示す室内レイアウトの電源設備箇所に青色のマーカー（つまり、第３マーカーＭ３のうちの電源設備用マーカーＭ３１）を記入する。なお図７（Ｂ）では、電源設備用マーカーＭ３１を実線で示し、室内レイアウトの７箇所に記入されている。次に、ユーザーは、設定用紙Ｐ１のネットワーク設備用マーカー記入欄Ｋ２４に緑色のマーカー線を引いたマーカーペンを用いて、図７（Ｂ）に示す室内レイアウトのネットワーク設備箇所に緑色のマーカー（つまり、第３マーカーＭ３のうちのネットワーク設備用マーカーＭ３２）を記入する。なお図７（Ｂ）では、ネットワーク設備用マーカーＭ３２を一点鎖線で示し、室内レイアウトの８箇所に記入されている。これにより、室内レイアウト原稿Ｐ２の準備が整う。
【００６２】
ところで、制御部１００は、上記Ｓ２の処理後、図４（Ｂ）に示す操作画面を表示部４７３に表示させる。ユーザーは、図４（Ｂ）に示す操作画面を見て、設定用紙Ｐ１と室内レイアウト原稿Ｐ２とを、原稿給送部６の原稿トレイにセットする。制御部１００は、原稿センサー１５による検知信号に基づいて、設定用紙Ｐ１及び室内レイアウト原稿Ｐ２のセットの有無を判定する（Ｓ３）。制御部１００は、設定用紙Ｐ１及び室内レイアウト原稿Ｐ２がセットされたことが原稿センサー１５によって検出された状態において、図４（Ｂ）に示す操作画面のＯＫボタンＫ１２がユーザーにより押下されると（Ｓ３でＹＥＳ）、図４（Ｃ）に示す操作画面を表示部４７３に表示させる。なお、制御部１００は、原稿がセットされていない場合には（Ｓ３でＮＯ）、Ｓ３に戻り、図４（Ｂ）に示す操作画面のＯＫボタンＫ１２がユーザーにより押下されるまで待機する。
【００６３】
制御部１００は、設定用紙Ｐ１及び室内レイアウト原稿Ｐ２のスキャンの開始の指示の有無を判定する（Ｓ４）。制御部１００は、図４（Ｃ）に示す操作画面の「室内レイアウト原稿のスキャン」を指示するボタンＫ１３がユーザーにより押下されると（Ｓ４でＹＥＳ）、原稿読取部５は、原稿給送部６により給送されてくる設定用紙Ｐ１及び室内レイアウト原稿Ｐ２をそれぞれ読み取り、室内レイアウトを示す画像データと設定用紙画像データとを取得する（Ｓ５）。具体的には、取得部１０１は、原稿読取部５が読み取った前記画像を、室内レイアウトを示す画像データとして取得する。また、画像解析部１０６は、原稿読取部５が読み取った前記設定用紙画像を画像解析してマーカーデータを取得する。
【００６４】
なお、制御部１００は、図４（Ｃ）に示す操作画面のボタンＫ１３が押下されていない場合には（Ｓ４でＮＯ）、Ｓ４に戻り、ＯＫボタンＫ１３がユーザーにより押下されるまで待機する。
【００６５】
制御部１００は、配置候補箇所決定処理を行う（Ｓ６）。配置候補箇所決定処理について、図８（Ａ）を用いて説明する。図８（Ａ）は、画像形成装置による配置候補箇所決定処理の一例を示すフローチャートである。
【００６６】
識別部１０２は、取得部１０１が取得した画像データが示す室内レイアウトから、第１記憶部９２ａに記憶されたマーカーデータに含まれる第１マーカーＭ１、第２マーカーＭ２、電源設備用マーカーＭ３１及びネットワーク設備用マーカーＭ３２をそれぞれ識別する（Ｓ１１）。
【００６７】
図９（Ａ）は、室内レイアウトの画像上にて配置可能範囲を特定する例を示す図である。識別部１０２は、図９（Ａ）に示すように、室内レイアウトの画像における第１マーカーＭ１、第２マーカーＭ２、電源設備用マーカーＭ３１及びネットワーク設備用マーカーＭ３２をそれぞれ識別する。
【００６８】
範囲特定部１０３は、識別部１０２が識別した第１マーカーＭ１よりも内側で第２マーカーＭ２の範囲を除いた範囲であって、予め取得した画像形成装置１の前記室内レイアウト上の大きさよりも大きい範囲を、画像形成装置１の配置が可能な可能範囲（設置可能スペース）として特定する（Ｓ１２）。また、範囲特定部１０３は、図９（Ａ）に示すように、第２マーカーＭ２同士の間隔Ｂ１が、室内レイアウト原稿Ｐ２における画像形成装置１の横幅長さ又は奥行長さよりも狭い場合には、第２マーカーＭ２同士の間隔Ｂ１の領域を前記可能範囲から除外する。また、第１マーカーＭ１と第２マーカーＭ２との間隔Ｂ２が、室内レイアウト原稿Ｐ２における画像形成装置１の横幅長さ又は奥行長さよりも狭い場合には、第１マーカーＭ１と第２マーカーＭ２との間の間隔Ｂ２の領域を前記可能範囲から除外する。すなわち、範囲特定部１０３は、図９（Ａ）に示すように、ハッチングで示す可能範囲を特定する。
【００６９】
図９（Ｂ）は、室内レイアウトの画像上にて配置候補箇所を特定する例を示す図である。候補箇所特定部１０４は、図９（Ｂ）に示すように、電源設備用マーカーＭ３１から可能範囲までの第１距離Ｃ１１とネットワーク設備用マーカーＭ３２から可能範囲までの第２距離Ｃ１２との合算距離Ｃ１が最短である箇所を、画像形成装置１の第１配置候補箇所ＤＣ１として特定する（Ｓ１３）。次に、候補箇所特定部１０４は、図９（Ｂ）に示すように、第１配置候補箇所の次に前記距離が小さい箇所、すなわち、電源設備用マーカーＭ３１から可能範囲までの第１距離Ｃ２１とネットワーク設備用マーカーＭ３２から可能範囲までの第２距離Ｃ２２との合算距離Ｃ２が合算距離Ｃ１の次に短い箇所を、画像形成装置１の第２配置候補箇所ＤＣ２として特定する（Ｓ１３）。
【００７０】
生成部１０５は、取得部１０１が取得した画像データが示す室内レイアウト上に候補箇所特定部１０４が特定した配置候補箇所を示した提案画像を生成する（Ｓ１４）。すなわち、生成部１０５は、提案画像を生成する処理を行う。
【００７１】
ここで、提案画像を生成する処理について、図８（Ｂ）を用いて説明する。図８（Ｂ）は、画像形成装置による提案画像生成処理の一例を示すフローチャートである。
【００７２】
制御部１００は、指示受付部１０７が個別提案又は一括提案の指示を受け付けているかを判定する（Ｓ２１）。ユーザーが操作部４７の表示部４７３に表示された設定画面に従って一括提案の指示をした場合には、指示受付部１０７が一括提案の指示を受け付け、制御部１００は、一括提案であると判定する（Ｓ２１で「一括提案」）。生成部１０５は、指示受付部１０７が一括提案の指示を受け付けている場合、提案画像として、取得部１０１が取得した画像データが示す室内レイアウト上に候補箇所特定部１０４が特定した第１配置候補箇所ＤＣ１及び第２配置候補箇所ＤＣ２を纏めて示した一括提案画像を生成する（Ｓ２３）。図１０は、提案画像の一例を示す図である。すなわち、生成部１０５は、図１０に示すように、一括提案画像を生成する。
【００７３】
一方、ユーザーが操作部４７の表示部４７３に表示された設定画面に従って個別提案の指示をした場合には、指示受付部１０７が個別提案の指示を受け付け、制御部１００は、個別提案であると判定する（Ｓ２１で「個別提案」）。生成部１０５は、指示受付部１０７が個別提案の指示を受け付けている場合、提案画像として、取得部１０１が取得した画像データが示す室内レイアウト上に候補箇所特定部１０４が特定した第１配置候補箇所ＤＣ１及び第２配置候補箇所ＤＣ２を個別に示した２つの個別提案画像を生成する（Ｓ２２）。すなわち、生成部１０５は、図１０に示す提案画像から第２配置候補箇所ＤＣ２を除いて第１配置候補箇所ＤＣ１を示した個別提案画像と、図１０に示す提案画像から第１配置候補箇所ＤＣ１を除いて第２配置候補箇所ＤＣ２を示した個別提案画像とを生成する。
【００７４】
そして、図３のＳ７に進み、制御部１００は、生成部１０５が生成した提案画像を出力する処理を行う（Ｓ７）。ここで、提案画像を出力する処理について、図１１を用いて説明する。図１１は、画像形成装置による提案画像出力処理の一例を示すフローチャートである。
【００７５】
制御部１００は、表示部４７３に表示された操作画面における「表示」の指示ボタン又は「印刷」の指示ボタンのどちらが操作されたかを判定する（Ｓ３１）。
【００７６】
制御部１００は、（i）生成部１０５が個別提案画像を生成した場合には、第１配置候補箇所ＤＣ１を示した個別提案画像を出力し、その後に第２配置候補箇所ＤＣ２を示した個別提案画像を出力する。具体的には、制御部１００は、表示指示を受けている場合（Ｓ３１で「表示」）、第１配置候補箇所ＤＣ１を示した個別提案画像を表示部４７３に表示させ、その後に第２配置候補箇所ＤＣ２を示した個別提案画像を表示部４７３に表示させる（Ｓ３２）。一方、制御部１００は、印刷指示を受けている場合（Ｓ３１で「印刷」）、第１配置候補箇所ＤＣ１を示した個別提案画像を、画像形成部１２及び定着部１３により、用紙Ｐに画像形成させ、その後に第２配置候補箇所ＤＣ２を示した個別提案画像を、画像形成部１２及び定着部１３により、用紙Ｐに画像形成させる（Ｓ３３）。
【００７７】
一方、制御部１００は、（ii）生成部１０５が一括提案画像を生成した場合には、第１配置候補箇所ＤＣ１が第２配置候補箇所ＤＣ２よりも適することを示した一括提案画像を出力する。具体的には、制御部１００は、表示指示を受けている場合（Ｓ３１で「表示」）、一括提案画像を表示部４７３に表示させる（Ｓ３２）。一方、制御部１００は、印刷指示を受けている場合（Ｓ３１で「印刷」）、一括提案画像を、画像形成部１２及び定着部１３により、用紙Ｐに画像形成させる（Ｓ３３）。
【００７８】
制御部１００は、図３のＳ７の処理後、又は、レイアウト支援のボタンＫ１１が押下されなかった場合（Ｓ１でＮＯ）、本処理を終了させる。
【００７９】
上記の第１実施形態によれば、取得部１０１は、室内設備の位置と画像形成装置１の配置が不可能な不可範囲とが示された室内レイアウトを示す画像データを取得する。識別部１０２は、取得部１０１が取得した画像データから、室内レイアウトの外縁と、室内設備の位置と、不可範囲と、をそれぞれ識別する。範囲特定部１０３は、識別部１０２が識別した室内レイアウトの外縁よりも内側で不可範囲を除いた範囲であって、予め取得した画像形成装置１の前記室内レイアウト上の大きさよりも大きい範囲を、画像形成装置１の配置が可能な可能範囲として特定する。候補箇所特定部１０４は、室内設備の位置から可能範囲までの距離が最短である箇所を、画像形成装置１の配置候補箇所として特定する。生成部１０５は、取得部１０１が取得した画像データが示す室内レイアウト上に候補箇所特定部１０４が特定した配置候補箇所を示した提案画像を生成する。制御部１００は、生成部１０５が生成した提案画像を出力する。これにより、画像形成装置１の配置場所として、室内設備に適した配置場所をユーザーに提案することができる。
【００８０】
また、ユーザーが、表示部４７３に表示された提案画像を見ることで、室内設備に適した配置場所を確認することができる。また、ユーザーが、提案画像が画像形成された用紙Ｐを見ることで、室内設備に適した配置場所を確認することができる。
【００８１】
また、識別部１０２は、取得部１０１が取得した画像データが示す室内レイアウトから、第１記憶部９２ａに記憶されたマーカーデータに含まれる第１マーカーＭ１、第２マーカーＭ２及び第３マーカーＭ３をそれぞれ識別する。範囲特定部１０３は、識別部１０２が識別した第１マーカーＭ１よりも内側で第２マーカーＭ２の範囲を除いた範囲であって、予め取得した画像形成装置１の前記室内レイアウト上の大きさよりも大きい範囲を、画像形成装置１の配置が可能な可能範囲として特定する。候補箇所特定部１０４は、第３マーカーＭ３から可能範囲までの距離が最短である箇所を、画像形成装置１の配置候補箇所として特定する。これにより、画像形成装置１は、第１マーカーＭ１と第２マーカーＭ２と第３マーカーＭ３とが異なる態様で示された室内レイアウトを示す画像データから、画像形成装置１の配置候補箇所を特定することができる。すなわち、画像形成装置１自体で配置候補箇所を特定することができる。このため、画像形成装置１の配置候補箇所を提案するサーバーなどの外部装置を別途用意する必要がない。
【００８２】
また、識別部１０２は、取得部１０１が取得した画像データが示す室内レイアウトから、第１記憶部９２ａに記憶されたマーカーデータに含まれる第１マーカーＭ１、第２マーカーＭ２、電源設備用マーカーＭ３１及びネットワーク設備用マーカーＭ３２をそれぞれ識別する。候補箇所特定部１０４は、電源設備用マーカーＭ３１から可能範囲までの第１距離とネットワーク設備用マーカーＭ３２から可能範囲までの第２距離との合算距離が最短である箇所を、画像形成装置１の配置候補箇所として特定する。これにより、画像形成装置１の配置場所として、室内設備としての電源設備及びネットワーク設備に適した配置場所をユーザーに提案することができる。
【００８３】
また、原稿読取部５は、室内レイアウト原稿Ｐ２から画像を読み取る。取得部１０１は、原稿読取部５が読み取った画像を、画像データとして取得する。これにより、画像形成装置１は、原稿読取部５にて室内レイアウト原稿Ｐ２が読み取られると、当該画像形成装置１の配置場所として、室内設備に適した配置場所をユーザーに提案することができる。
【００８４】
また、原稿読取部５は、マーカーデータが示された設定用紙Ｐ１から設定用紙画像を読み取る。画像解析部１０６は、原稿読取部５が読み取った設定用紙画像を画像解析してマーカーデータを取得する。第１記憶部９２ａは、画像解析部１０６が取得したマーカーデータを記憶する。これにより、画像形成装置１は、原稿読取部５にて読み取った設定用紙Ｐ１が示すマーカーデータに基づいて、画像形成装置１の配置候補箇所を特定することができる。また、室内レイアウト原稿Ｐ２の内容に応じて、設定用紙Ｐ１に示すマーカーデータの内容を適宜に変更することができる。例えば、室内レイアウト原稿Ｐ２に特定色が記載されている場合に、第１マーカーＭ１、第２マーカーＭ２及び第３マーカーＭ３の各色を特定色以外の色に変更することができ、識別部１０２による識別精度の低下を抑制することができ、画像形成装置１の配置場所として、室内設備に適した配置場所をユーザーに好適に提案することができる。また、種々の室内レイアウト原稿を取り扱うことができ、画像形成装置１の利用度を向上させることができる。
【００８５】
また、候補箇所特定部１０４は、室内設備の位置から可能範囲までの距離が最短である箇所を、画像形成装置１の第１配置候補箇所ＤＣ１として特定し、第１配置候補箇所ＤＣ１の次に前記距離が小さい箇所を第２配置候補箇所ＤＣ２として特定するので、第１配置候補箇所ＤＣ１と第２配置候補箇所ＤＣ２とをユーザーに提案することができる。また、制御部１００は、（i）生成部１０５が個別提案画像を生成した場合には、第１配置候補箇所ＤＣ１を示した個別提案画像を出力し、その後に第２配置候補箇所ＤＣ２を示した個別提案画像を出力する。一方、制御部１００は、（ii）生成部１０５が一括提案画像を生成した場合には、第１配置候補箇所ＤＣ１が第２配置候補箇所ＤＣ２よりも適することを示した一括提案画像を出力する。これにより、ユーザーに対して、第１配置候補箇所ＤＣ１を示した個別提案画像を提案し、その後に  第２配置候補箇所ＤＣ２を示した個別提案画像を提案することができる。また、ユーザーに対して、第１配置候補箇所ＤＣ１が第２配置候補箇所ＤＣ２よりも適することを示した一括提案画像を提案することができる。
【００８６】
次に、第２実施形態の画像形成装置１について説明する。図１２は、第２実施形態に係る画像形成装置の主要内部構成を概略的に示す機能ブロック図である。第２実施形態の画像形成装置１は、カメラ３０を備え、更に、制御ユニット１０が、顔認証処理部１０８と撮影データ収集部１０９と優先方向特定部１１０とを更に備えている点が、第１実施形態の構成と相違する。第２実施形態では、第１実施形態と同様の処理や構成については説明を省略する。
【００８７】
制御ユニット１０は、ＨＤＤ９２に記憶された制御プログラムが上記のプロセッサーで実行されることにより、更に、顔認証処理部１０８と、撮影データ収集部１０９と、優先方向特定部１１０として機能する。
【００８８】
なお、第２実施形態では、画像形成装置１は、第１実施形態で説明した第１配置候補箇所ＤＣ１に配置されているとして説明する。
【００８９】
カメラ３０は、画像形成装置１を使用するユーザーを撮影するカメラであり、例えば３６０度カメラとしている。カメラ３０は、撮影した撮影データを画像形成装置１に出力する。画像形成装置１は、カメラ３０からの撮影データをＨＤＤ９２に記憶する。なお、カメラ３０は、例えば撮影範囲が３６０度未満の通常の監視カメラ、ネットワークカメラなどであってもよい。また、カメラ３０の台数は、複数台であってもよい。
【００９０】
撮影データ収集部１０９は、室内レイアウトに対応する実際の室内において第１配置候補箇所ＤＣ１に対応する箇所に配置された画像形成装置１を使用したユーザーが画像形成装置１から離れる動きをカメラ３０にて撮影された撮影データを、予め定められた期間において、当該画像形成装置１を使用する毎に収集する。前記予め定められた期間は、次の室内レイアウト原稿がスキャンされるまでの期間である。例えば、ユーザーの机などの配置又は室内設備の位置が変更された場合に、新たな室内レイアウト原稿がスキャンされるまでの期間、又は、室内レイアウトの変更は無いが、利用ユーザーの使用状況を考慮した配置とするために、室内レイアウト原稿がスキャンされるまでの期間が挙げられる。
【００９１】
撮影データ収集部１０９は、画像形成装置１を使用したユーザーが当該画像形成装置１から予め定められた設定距離まで離れる動きを撮影した撮影データを、予め定められた期間において当該画像形成装置１を使用する毎に収集する。例えば、予め定められた設定距離は、画像形成装置１に触れることができない距離までユーザーが離れた距離、画像形成装置１を使用するためにユーザーが立ち入る範囲を超えた距離、又は、画像形成装置１からユーザーの座席までの距離よりも短い距離などであればよい。
【００９２】
優先方向特定部１１０は、撮影データ収集部１０９が前記予め定められた期間において収集した複数の撮影データを分析することでユーザーの戻り方向を特定し、当該特定したユーザーの戻り方向を集計し、当該集計した結果のうちで最多数の戻り方向を優先方向として特定する。
【００９３】
制御部１００は、（i）生成部１０５が個別提案画像を生成した場合には、（ia）優先方向特定部１１０が特定した優先方向が第１配置候補箇所ＤＣ１の方向であれば、第１配置候補箇所ＤＣ１を示した個別提案画像を出力し、その後に第２配置候補箇所ＤＣ２を示した個別提案画像を出力し、（ib）優先方向特定部１１０が特定した優先方向が第２配置候補箇所ＤＣ２の方向であれば、第２配置候補箇所ＤＣ２を示した個別提案画像を出力し、その後に第１配置候補箇所ＤＣ１を示した個別提案画像を出力する。
【００９４】
一方、制御部１００は、（ii）生成部１０５が一括提案画像を生成した場合には、（iia）優先方向特定部１１０が特定した優先方向が第１配置候補箇所ＤＣ１の方向であれば、第１配置候補箇所ＤＣ１が第２配置候補箇所ＤＣ２よりも適することを示した一括提案画像を出力し、（iib）優先方向特定部１１０が特定した優先方向が第２配置候補箇所ＤＣ２の方向であれば、第２配置候補箇所ＤＣ２が第１配置候補箇所ＤＣ１よりも適することを示した一括提案画像を出力する。
【００９５】
ＨＤＤ９２は、室内に座席が設定されているユーザーの顔の画像を予め記憶する第２記憶部９２ｂを備える。例えば、第２記憶部９２ｂは、カメラ３０にて事前に撮影されたユーザーの顔の画像を記憶する。なお、第２記憶部９２ｂは、ユーザー情報を記憶する図示しない外部サーバーから、室内に座席が設定されているユーザーの顔の画像をネットワークインターフェイス部９１が受信して記憶してもよい。
【００９６】
顔認証処理部１０８は、画像形成装置１を使用する際にカメラ３０にて撮影されたユーザーの顔の画像と、第２記憶部９２ｂに予め記憶されたユーザーの顔の画像とが一致するか否かを、既知の顔認証技術により判定し、一致する場合に、当該ユーザーを室内ユーザーとして認証する。
【００９７】
撮影データ収集部１０９は、顔認証処理部１０８が認証した室内ユーザーが画像形成装置１から離れる動きを撮影した撮影データを、予め定められた期間において当該画像形成装置１を使用する毎に収集する。
【００９８】
次に、第２実施形態に係る画像形成装置１による撮影データ収集処理を説明する。図１３は、画像形成装置による撮影データ収集処理の一例を示すフローチャートである。
【００９９】
制御部１００は、例えばスキャンジョブ、印刷ジョブなどのジョブを受け付けた場合に、当該受け付けたジョブが室内ユーザーであるか否かを判定する（Ｓ４１）。具体的には、顔認証処理部１０８は、画像形成装置１を使用する際にカメラ３０にて撮影されたユーザーの顔の画像と、第２記憶部９２ｂに記憶されたユーザーの顔の画像とが一致するか否かを、既知の顔認証技術により判定し、一致する場合に、当該ユーザーを室内ユーザーとして認証する。そして、制御部１００は、顔認証処理部１０８が室内ユーザーとして認証した場合、当該受け付けたジョブが室内ユーザーであると判定し（Ｓ４１でＹＥＳ）、当該受け付けたジョブを実行する（Ｓ４２）。例えば、制御部１００は、スキャンジョブを受け付けた場合には、原稿のスキャンを原稿読取部５に実行させ、印刷ジョブを受け付けた場合には、画像形成部１２及び定着部１３により、画像データを用紙Ｐに画像形成させる。
【０１００】
制御部１００は、当該受け付けたジョブが終了したか否かを判定する。すなわち、制御部１００は、画像形成装置１を使用したユーザーの撮影を開始するか否かを判定する（Ｓ４３）。つまり、制御部１００は、当該受け付けたジョブが終了すると、カメラ３０に撮影開始信号を出力する。カメラ３０は、撮影開始信号を受けると、画像形成装置１を使用したユーザーの撮影を開始する（Ｓ４３でＹＥＳ）。なお、制御部１００は、当該受け付けたジョブが終了していない場合には（Ｓ４３でＮＯ）、Ｓ４３に戻り、当該受け付けたジョブが終了するまで待機する。
【０１０１】
制御部１００は、画像形成装置１を使用したユーザーが当該画像形成装置１から予め定められた設定距離まで離れた場合に、カメラ３０に撮影終了信号を出力する（Ｓ４４でＹＥＳ）。例えば、画像形成装置１は、図示しない人感センサーを備えており、人感センサーの検知範囲が前記予め定められた設定距離までに設定されており、制御部１００は、図示しない人感センサーからの検知信号がオフになると、前記予め定められた設定距離まで離れたと判定する。なお、制御部１００は、画像形成装置１を使用したユーザーが前記予め定められた設定距離まで離れていない場合には（Ｓ４４でＮＯ）、Ｓ４４に戻り、前記予め定められた設定距離まで離れるまで待機する。
【０１０２】
撮影データ収集部１０９は、上記Ｓ４３〜Ｓ４４においてカメラ３０にて撮影された撮影データ、すなわち、画像形成装置１を使用したユーザーが当該画像形成装置１から予め定められた設定距離まで離れる動きを撮影した撮影データを収集する（Ｓ４５）。そして、制御部１００は、Ｓ４５の処理後、本処理を終了させる。
【０１０３】
次に、第２実施形態に係る画像形成装置１による配置候補箇所決定処理を説明する。図１４は、第２実施形態に係る画像形成装置による配置候補箇所決定処理の一例を示すフローチャートである。ここでは、室内レイアウトの変更は無いが、利用ユーザーの使用状況を考慮した配置とするために、上記第１実施形態と同じ室内レイアウト原稿が再度スキャンされたとする。図１４のＳ１１〜Ｓ１３は、第１実施形態と同じであるため、図１４のＳ５１から説明する。
【０１０４】
撮影データ収集部１０９は、前記予め定められた期間（つまり、前回の室内レイアウト原稿がスキャンされてから、今回の室内レイアウト原稿がスキャンされるまでの期間）には、第１配置候補箇所ＤＣ１に配置された画像形成装置１を使用したユーザーが画像形成装置１から離れる動きをカメラ３０にて撮影された撮影データを、当該画像形成装置１を使用する毎に収集している。
【０１０５】
優先方向特定部１１０は、撮影データ収集部１０９が前記予め定められた期間において収集した複数の撮影データをそれぞれ分析することにより、ユーザーの戻り方向を特定する（Ｓ５１）。優先方向特定部１１０は、例えば、撮影データが示す撮影画像における、予め定められた設定距離まで離れたときのユーザーの身体の向きに基づいて、ユーザーの戻り方向を特定したり、撮影データが示す撮影画像における、予め定められた設定距離まで離れたときのユーザーの移動軌跡に基づいて、ユーザーの戻り方向を特定したりする。図１５は、画像形成装置の使用後におけるユーザーの戻り方向を示す図である。優先方向特定部１１０は、複数の撮影データごとにユーザーの戻り方向が方向Ｄ１〜Ｄ６の何れであるかを特定する。
【０１０６】
優先方向特定部１１０は、当該特定したユーザーの戻り方向を集計する（Ｓ５２）。例えば、方向Ｄ１〜Ｄ６ごとに各集計数を求める。例えば、複数の撮影データが１００個あり、方向Ｄ１の集計数が６５個、方向Ｄ２の集計数が５個、方向Ｄ３の集計数が１０個、方向Ｄ４の集計数が３個、方向Ｄ５の集計数が７個、方向Ｄ６の集計数が１０個であったとする。
【０１０７】
優先方向特定部１１０は、当該集計した結果のうちで最多数の戻り方向を優先方向として特定する（Ｓ５３）。優先方向特定部１１０は、方向Ｄ１の集計数が６５個であったので、最多数の戻り方向である方向Ｄ１を優先方向として特定する。
【０１０８】
生成部１０５は、室内レイアウト上に候補箇所特定部１０４が特定した配置候補箇所を示した提案画像を生成する（Ｓ１４）。そして、制御部１００は、Ｓ１４の処理後、本処理を終了させる。
【０１０９】
制御部１００は、（i）生成部１０５が個別提案画像を生成した場合には、（ib）優先方向特定部１１０が特定した優先方向である方向Ｄ１が第２配置候補箇所ＤＣ２の方向であるため、第２配置候補箇所ＤＣ２を示した個別提案画像を出力し、その後に第１配置候補箇所ＤＣ１を示した個別提案画像を出力する。なお、制御部１００は、（ia）優先方向特定部１１０が特定した優先方向が方向Ｄ２〜Ｄ６であれば、優先方向が第１配置候補箇所ＤＣ１の方向であると判定し、第１配置候補箇所ＤＣ１を示した個別提案画像を出力し、その後に第２配置候補箇所ＤＣ２を示した個別提案画像を出力する。
【０１１０】
一方、制御部１００は、（ii）生成部１０５が一括提案画像を生成した場合には、（iib）優先方向特定部１１０が特定した優先方向である方向Ｄ１が第２配置候補箇所ＤＣ２の方向であるため、第２配置候補箇所ＤＣ２が第１配置候補箇所ＤＣ１よりも適することを示した一括提案画像を出力する。なお、制御部１００は、（iia）優先方向特定部１１０が特定した優先方向が方向Ｄ２〜Ｄ６であれば、優先方向が第１配置候補箇所ＤＣ１の方向であると判定し、第１配置候補箇所ＤＣ１が第２配置候補箇所ＤＣ２よりも適することを示した一括提案画像を出力する。
【０１１１】
上記第２実施形態によれば、撮影データ収集部１０９は、ユーザーが画像形成装置１を使用した後に当該画像形成装置１から離れる動きを撮影した撮影データを、予め定められた期間において当該画像形成装置１を使用する毎に収集する。優先方向特定部１１０は、撮影データ収集部１０９が収集した複数の撮影データを分析することでユーザーの戻り方向を特定し、当該特定したユーザーの戻り方向を集計し、当該集計した結果のうちで最多数の戻り方向を優先方向として特定する。これにより、室内における利用ユーザーの多い方向を特定することができる。そして、制御部１００は、（i）生成部１０５が個別提案画像を生成した場合には、（ia）優先方向特定部１１０が特定した優先方向が第１配置候補箇所ＤＣ１の方向であれば、第１配置候補箇所ＤＣ１を示した個別提案画像を出力し、その後に第２配置候補箇所ＤＣ２を示した個別提案画像を出力し、（ib）優先方向特定部１１０が特定した優先方向が第２配置候補箇所ＤＣ２の方向であれば、第２配置候補箇所ＤＣ２を示した個別提案画像を出力し、その後に第１配置候補箇所ＤＣ１を示した個別提案画像を出力する。一方、制御部１００は、（ii）生成部１０５が一括提案画像を生成した場合には、（iia）優先方向特定部１１０が特定した優先方向が第１配置候補箇所ＤＣ１の方向であれば、第１配置候補箇所ＤＣ１が第２配置候補箇所ＤＣ２よりも適することを示した一括提案画像を出力し、（iib）優先方向特定部１１０が特定した優先方向が第２配置候補箇所ＤＣ２の方向であれば、第２配置候補箇所ＤＣ２が第１配置候補箇所ＤＣ１よりも適することを示した一括提案画像を出力する。これにより、画像形成装置１の配置場所として、室内設備に適した配置場所であって、かつ、利用ユーザーの多い配置場所を、ユーザーに提案することができる。
【０１１２】
また、撮影データ収集部１０９は、画像形成装置１を使用したユーザーが当該画像形成装置１から予め定められた設定距離まで離れる動きを撮影した撮影データを収集する。例えば、予め定められた設定距離は、画像形成装置１に触れることができない距離までユーザーが離れた距離、画像形成装置１を使用するためにユーザーが立ち入る範囲を超えた距離、又は、画像形成装置１からユーザーの座席までの距離よりも短い距離などであればよい。このため、画像形成装置１を使用したユーザーが座席に着くまで撮影をする場合に比べて、撮影データを大幅に低減することができ、ユーザーの画像形成装置１から離れる動きを効率よく取得することができる。
【０１１３】
また、第２記憶部９２ｂは、室内に座席が設定されているユーザーの顔の画像を予め記憶する。顔認証処理部１０８は、画像形成装置１を使用するユーザーの顔の画像と、第２記憶部９２ｂに記憶されたユーザーの顔の画像とが一致する場合に、当該ユーザーを室内ユーザーとして認証する。撮影データ収集部１０９は、顔認証処理部１０８が認証した室内ユーザーが画像形成装置１から離れる動きを撮影した撮影データを収集する。これにより、室内ユーザーについて利用ユーザーの多い方向を特定することができる。室内ユーザー以外のユーザーが画像形成装置１を使用した場合には、撮影データが収集されないので、室内ユーザーに限って撮影データを収集することができる。このため、画像形成装置１の配置場所として、室内設備に適した配置場所であって、かつ、室内ユーザーであって利用ユーザーの多い配置場所を提案することができる。
【０１１４】
本発明は上記実施形態の構成に限られず種々の変形が可能である。例えば、画像形成装置に限らず、コンピューター、携帯情報端末などの情報処理装置４０が、室内設備に適した配置場所を提案するとしてもよい。
【０１１５】
図１６は、変形例に係る情報処理装置の主要内部構成を概略的に示す機能ブロック図である。図１６に示すように、情報処理装置４０は、制御ユニット４００、表示部４１２、タッチパネル４１３、通信部４１４及び記憶部４１５を含んで構成されている。
【０１１６】
表示部４１２は、画面の前面にタッチパネル４１３を備え、操作者は画面表示されるボタンやキーに触れて、タッチパネル機能により情報処理装置４０を操作することができる。
【０１１７】
通信部４１４は、ＬＡＮ（Local Area Network）ボード等の通信モジュールを含んで構成され、ローカルエリア内、又はインターネット上の画像形成装置１、外部装置２０などと種々のデータの送受信を行うものである。
【０１１８】
記憶部４１５は、記憶装置であり、マーカーデータを予め記憶する第１記憶部４１５ａを備えている。
【０１１９】
制御ユニット４００は、プロセッサー、ＲＡＭ(Random Access Memory）、及びＲＯＭ（Read Only Memory）などから構成される。プロセッサーは、例えば、ＣＰＵ（Central Processing Unit）、ＭＰＵ、ＡＳＩＣである。この制御ユニット４００は、記憶部４１５に記憶された制御プログラムが上記のプロセッサーで実行されることにより、制御部４０１と、取得部４０２と、識別部４０３と、範囲特定部４０４と、候補箇所特定部４０５と、生成部４０６と、画像解析部４０７と、指示受付部４０８として機能する。なお、制御ユニット４００の上記各構成は、上記制御プログラムに基づく動作によらず、それぞれハード回路により構成されてもよい。以下、特に触れない限り、各実施形態について同様である。
【０１２０】
制御部４０１、取得部４０２、識別部４０３、範囲特定部４０４、候補箇所特定部４０５、生成部４０６、画像解析部４０７及び指示受付部４０８は、第１実施形態の制御部１００、取得部１０１、識別部１０２、範囲特定部１０３、候補箇所特定部１０４、生成部１０５、画像解析部１０６及び指示受付部１０７と同様に動作する。
【０１２１】
取得部４０２は、室内設備の位置と電子機器としての例えば画像形成装置１の配置が不可能な不可範囲とが示された室内レイアウトを示す画像データを取得する。例えば、取得部４０２は、画像形成装置１がスキャンした室内レイアウト原稿Ｐ２の画像データと、画像形成装置１がスキャンした設定用紙Ｐ１の設定用紙画像データとを通信部４１４が受信し、通信部４１４が受信した受信データから画像データおよび設定用紙画像データを取得する。
【０１２２】
識別部４０３は、取得部４０２が取得した前記画像データから、前記室内レイアウトの外縁と、室内設備の位置と、前記不可範囲と、をそれぞれ識別する。
【０１２３】
範囲特定部４０４は、識別部４０３が識別した室内レイアウトの外縁よりも内側で前記不可範囲を除いた範囲であって、予め取得した電子機器（例えば画像形成装置１）の室内レイアウト上の大きさよりも大きい範囲を、画像形成装置１の配置が可能な可能範囲として特定する。
【０１２４】
候補箇所特定部４０５は、室内設備の位置から前記可能範囲までの距離が最短である箇所を、電子機器（例えば画像形成装置１）の配置候補箇所として特定する。
【０１２５】
生成部４０６は、取得部４０２が取得した前記画像データが示す前記室内レイアウト上に候補箇所特定部４０５が特定した配置候補箇所を示した提案画像を生成する。制御部４０１は、生成部４０６が生成した前記提案画像を表示部４１２に表示させる。
【０１２６】
上記の変形例によれば、電子機器（例えば画像形成装置１）の配置場所として、室内設備に適した配置場所をユーザーに提案することができる。
【０１２７】
また、上記実施形態では、図１乃至図１６を用いて上記実施形態により示した構成及び処理は、本発明の一実施形態に過ぎず、本発明を当該構成及び処理に限定する趣旨ではない。
【符号の説明】
【０１２８】
１      画像形成装置
５      原稿読取部
１０    制御ユニット
１２    画像形成部
９２ａ  第１記憶部
１００  制御部
１０１  取得部
１０２  識別部
１０３  範囲特定部
１０４  候補箇所特定部
１０５  生成部
１０６  画像解析部
１０７  指示受付部
１０８  顔認証処理部
１０９  撮影データ収集部
１１０  優先方向特定部
４７３  表示部
【図１】
2020194289.tif 000003
【図２】
2020194289.tif 000004
【図３】
2020194289.tif 000005
【図４】
2020194289.tif 000006
【図５】
2020194289.tif 000007
【図６】
2020194289.tif 000008
【図７】
2020194289.tif 000009
【図８】
2020194289.tif 000010
【図９】
2020194289.tif 000011
【図１０】
2020194289.tif 000012
【図１１】
2020194289.tif 000013
【図１２】
2020194289.tif 000014
【図１３】
2020194289.tif 000015
【図１４】
2020194289.tif 000016
【図１５】
2020194289.tif 000017
【図１６】
2020194289.tif 000018